【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
光軸を有する光学的機能部と、当該光学的機能部の周囲に形成されるフランジ部を備え、
前記フランジ部の一方の面に、光学装置への組み込みに際し、位置決め固定の基準となる円環状の基準面が設けられ、
成形に際して、当該基準面が形成される側の面が、前記光学的機能部を有する内周側を形成する第１金型と、当該第１金型で形成される部分より外周側を形成する第２金型とにより成形され、
かつ、前記フランジ部の基準面と、前記光学的機能部の当該基準面側の面である光学的機能面とが一つの前記第１金型で成形され、フランジ部の基準面より外周側の面が第２金型で成形され、
前記基準面からの前記光軸方向に沿った距離を高さとした場合に、
前記基準面より外周側に前記第１金型で形成された部分と第２金型で形成された部分との境界が配置され、
前記基準面より外周側で前記境界を含む部分が前記基準面より低くなっていることを特徴とする樹脂レンズ。
【請求項２】
前記フランジ部は、略円形状に形成されるとともに、成形後に切り離される部分に対応して円の外周の一部を半径方向に略直交する方向に切断した形状の直線部が設けられ、
前記円環状の基準面の外径は、前記光学的機能部の中心から半径方向に沿った直線部までの距離より短くされていることを特徴とする請求項１に記載の樹脂レンズ。
【請求項３】
前記境界を含む部分には、第２金型で形成された部分が第１金型で形成されら部分より低くされることで、段差が形成されていることを特徴とする請求項１または請求項２に記載の樹脂レンズ。
【請求項４】
前記基準面と、当該基準面より外周側で当該基準面より低くされた前記境界を含む部分との高低差が、第１金型と第２金型とのクリアランスに入り込む樹脂により光軸方向に沿って突出して形成されるバリの光軸方向に沿った突出長さより長いことを特徴とする請求項３に記載の樹脂レンズ。
【請求項５】
光軸を有する光学的機能部と、当該光学的機能部の周囲に形成されるフランジ部を備え、前記フランジ部の一方の面に、光学装置への組み込みに際し、位置決め固定の基準となる円環状の基準面が設けられた樹脂レンズの成形方法であって
前記樹脂レンズの成形に際し、当該基準面が形成される側の面を、前記光学的機能部を有する前記樹脂レンズの内周側を形成するとともに前記樹脂レンズの光軸に沿った回転中心回りに回転自在な第１金型と、前記樹脂レンズの前記第１金型で形成される部分より外側を形成するとともに、第１金型を回転可能に保持する円孔が形成された第２金型とを用い、
前記基準面からの前記光軸方向に沿った距離を高さとした場合に、
前記基準面より外周側に前記第１金型で形成された部分と第２金型で形成された部分との境界を配置し、
前記基準面より外周側で前記境界を含む部分を前記基準面より低くし、
かつ、前記フランジ部の基準面と、前記光学的機能部の当該基準面側の面である光学的機能面とを一つの前記第１金型で成形し、フランジ部の基準面より外周側の面を前記第２金型で成形することを特徴とする樹脂レンズの成形方法。
【手続補正２】
【補正対象書類名】明細書
【補正対象項目名】０００１
【補正方法】変更
【補正の内容】
【０００１】
本発明は、樹脂製のレンズである樹脂レンズおよび樹脂レンズの成形方法に係り、特に光ディスクの光ピックアップ装置の対物レンズ（ピックアップレンズ）に好適に用いられる樹脂レンズおよび樹脂レンズの成形方法に関する。
【手続補正３】
【補正対象書類名】明細書
【補正対象項目名】０００２
【補正方法】変更
【補正の内容】
【０００２】
近年、ブルーレイディスク、ＤＶＤ、ＣＤ等の光ディスクの読取や書き込みのための光ピックアップ装置に用いられる対物レンズは、ガラスモールドレンズに代えてたとえば熱可塑性樹脂製の樹脂レンズが用いられるようになっており、このような対物レンズはたとえば射出成形により成形されている。
【手続補正４】
【補正対象書類名】明細書
【補正対象項目名】００１５
【補正方法】変更
【補正の内容】
【００１５】
前記目的を達成するために、請求項１に記載の樹脂レンズは、光軸を有する光学的機能部と、当該光学的機能部の周囲に形成されるフランジ部を備え、
前記フランジ部の一方の面に、光学装置への組み込みに際し、位置決め固定の基準となる円環状の基準面が設けられ、
成形に際して、当該基準面が形成される側の面が、前記光学的機能部を有する内周側を形成する第１金型と、当該第１金型で形成される部分より外周側を形成する第２金型とにより成形され、
かつ、前記フランジ部の基準面と、前記光学的機能部の当該基準面側の面である光学的機能面とが一つの前記第１金型で成形され、フランジ部の基準面より外周側の面が第２金型で成形され、
前記基準面からの前記光軸方向に沿った距離を高さとした場合に、
前記基準面より外周側に前記第１金型で形成された部分と第２金型で形成された部分との境界が配置され、
前記基準面より外周側で前記境界を含む部分が前記基準面より低くなっていることを特徴とする。
【手続補正５】
【補正対象書類名】明細書
【補正対象項目名】００１６
【補正方法】変更
【補正の内容】
【００１６】
請求項１に記載の発明においては、フランジ部の基準面と光学的機能部の基準面側となる光学的機能面が一つの第１金型で成形されるので、第１金型が入子として回転する構造となっていても、入子を回転可能としたことによる入子の傾きは、基準面と光学的機能面に同時に影響するので、基準面と光学的機能面との間の角度には影響しない。したがって、第１金型を回転可能な入子とした場合に、入子を回転可能としたことによる入子の傾きにより、基準面に対する光学的機能面の角度に誤差（変化）が生じるのを防止し、樹脂レンズのさらなる精度の向上を図ることができる。
また、入子を回転しても基準面に対する光学的機能面の光軸方向の傾きが変わることがなく、基準面に基いて樹脂レンズを光学装置に組み込んだ場合に、入子の回転角度により光軸方向がずれるようなことがなく、光学装置の品質のばらつきを抑制することができる。
また、第１金型と第２金型との間のクリアランスがあり、これら第１金型と第２金型とにより成形される樹脂レンズに第１金型と第２金型との境界部分にバリが発生する場合に、バリの発生部分が基準面よりも低くなっていることになる。この基準面とバリが発生する境界部分との高低差によりバリの突出量が短ければ、取付け枠の受面に基準面を当接させる際に邪魔にならず、樹脂レンズの取付け精度に影響を与えないものとなる。
したがって、取り付け枠の受面に基準面を当接した際の精度の低下を防止し、かつ、バリ除去を必要としないので樹脂レンズの製造工程を増やすことによるコスト増加も防止することができる。
【手続補正６】
【補正対象書類名】明細書
【補正対象項目名】００１７
【補正方法】変更
【補正の内容】
【００１７】
また、請求項２に記載の樹脂レンズは、請求項１に記載の発明において、前記フランジ部は、略円形状に形成されるとともに、成形後に切り離される部分に対応して円の外周の一部を半径方向に略直交する方向に切断した形状の直線部が設けられ、
前記円環状の基準面の外径は、前記光学的機能部の中心から半径方向に沿った直線部までの距離より短くされていることを特徴とする。
【手続補正７】
【補正対象書類名】明細書
【補正対象項目名】００２０
【補正方法】変更
【補正の内容】
【００２０】
請求項３に記載の樹脂レンズは、請求項１または請求項２に記載の発明において、
前記境界を含む部分には、第２金型で形成された部分が第１金型で形成されら部分より低くされることで、段差が形成されていることを特徴とする。
【手続補正８】
【補正対象書類名】明細書
【補正対象項目名】００２１
【補正方法】変更
【補正の内容】
【００２１】
請求項３に記載の発明においては、前記境界で第１金型と第２金型とが接触した状態となるが、この部分で段差を設けない設計としていた場合でも、第１金型および第２金型の製造誤差やこれらの組立時の誤差等により段差が発生する可能性がある。ここで、第２金型により成形される最外周部の境界より外周側の部分が高くなってしまうと、基準面と最外周部の境界より外周側の部分との高低差が小さくなってしまう。境界で発生するバリは、境界に段差がある場合に、段差の上となる側より高くなり、基準面と最外周部の境界より外周側の部分との高低差が小さくなってしまうと、バリが基準面より高くなる可能性がある。
そこで、予め、境界より第１金型で成形される側が高く、境界より第２金型で成形される側が低く成形されるように、第１金型の形成面と第２金型の形成面の位置を設定しておけば、誤差等によって、第１金型の形成面と第２金型の形成面の配置にずれが生じても、基準面と境界より外側の面との間の高低差が、第１の段差における高低差より狭くなってしまうのを防止することができる。これにより、確実にバリが基準面より高くなるのを防止することができる。
【手続補正９】
【補正対象書類名】明細書
【補正対象項目名】００２３
【補正方法】変更
【補正の内容】
【００２３】
請求項４に記載の発明においては、前記基準面と境界部分の高低差は、第１金型と第２金型とのクリアランスに入り込む樹脂により光軸方向に沿って突出して形成されるバリの光軸方向に沿った突出長さより長いので、バリが基準面より高く突出することがなく、光学装置の取付け枠に樹脂レンズを固定する際に、受面に基準面を当接する際にバリが邪魔になることがない。
【手続補正１０】
【補正対象書類名】明細書
【補正対象項目名】００２５
【補正方法】変更
【補正の内容】
【００２５】
また、請求項５に記載の樹脂レンズの成形方法は、光軸を有する光学的機能部と、当該光学的機能部の周囲に形成されるフランジ部を備え、前記フランジ部の一方の面に、光学装置への組み込みに際し、位置決め固定の基準となる円環状の基準面が設けられた樹脂レンズの成形方法であって
前記樹脂レンズの成形に際し、当該基準面が形成される側の面を、前記光学的機能部を有する前記樹脂レンズの内周側を形成するとともに前記樹脂レンズの光軸に沿った回転中心回りに回転自在な第１金型と、前記樹脂レンズの前記第１金型で形成される部分より外側を形成するとともに、第１金型を回転可能に保持する円孔が形成された第２金型とを用い、
前記基準面からの前記光軸方向に沿った距離を高さとした場合に、
前記基準面より外周側に前記第１金型で形成された部分と第２金型で形成された部分との境界を配置し、
前記基準面より外周側で前記境界を含む部分を前記基準面より低くし、
かつ、前記フランジ部の基準面と、前記光学的機能部の当該基準面側の面である光学的機能面とを一つの前記第１金型で成形し、フランジ部の基準面より外周側の面を前記第２金型で成形することを特徴とする。
【手続補正１１】
【補正対象書類名】明細書
【補正対象項目名】００３９
【補正方法】変更
【補正の内容】
【００３９】
そして、この例において、直線部３６は、樹脂レンズ１の半径方向に直交するものとなっている。また、円環状でかつ帯状の基準面３３は、フランジ部３の半径方向に沿った所定の幅を有するが、その外径が樹脂レンズ１の中心から直線部３６までの最短距離（半径方向に沿った距離）より僅かに短いものとなっている、すなわち、基準面３３は、上述のようにフランジ部３の基準面３３側のフランジ面３２の最外周部３４より中心側で、かつ、直線部３６より中心側となっている。すなわち、入子７１（第１金型）で形成される円環状の基準面３３の外径は、前記光学的機能部２の中心から半径方向に沿った直線部３６までの距離より短くされている。
そして、基準面３３の外形は、直線部３６より中心側で円形となっている。
また、基準面３３は、樹脂レンズ１の光軸に直交する平面となっている。
【手続補正１２】
【補正対象書類名】明細書
【補正対象項目名】００４３
【補正方法】変更
【補正の内容】
【００４３】
次に、この例の樹脂レンズ１における成形時のバリについて図４に基づき説明する。
図４において、（ａ）は、樹脂レンズ１と入子７１，７２を示す断面図であり、（ｂ）は（ａ）で円で囲まれたフランジ部３の拡大図であり、（ｃ）は入子７１，７２から離型されたフランジ部３の拡大図である。
そして、基準面３３の高さと最外周部３４の基準面３３側となる面の高さとは異なって降り、基準面３３の方が高く、最外周部３４は基準面より低くなっている。その間には段差３８が形成されている。なお、段差３８は、スロープも含む概念とする。
【手続補正１３】
【補正対象書類名】明細書
【補正対象項目名】００４７
【補正方法】変更
【補正の内容】
【００４７】
なお、前記境界４０に対応する部分にも半径方向外側の方が低くなる段差が形成されている。
ここで、前記境界４０で入子７２とホルダとが接触した状態となるが、この部分で段差を設けない設計としていた場合でも、入子７２およびホルダの製造誤差やこれらの組立時の誤差等により段差が発生する可能性がある。ここで、ホルダにより成形される最外周部３４の境界４０より外周側の部分が高くなってしまうと、基準面３３と最外周部３４の境界４０より外周側の部分との高低差が小さくなってしまう。ここで、境界４０で発生するバリ３９は、境界４０に段差がある場合に、段差の上となる側より高くなり、基準面３３と最外周部３４の境界４０より外周側の部分との高低差が小さくなってしまうと、バリ３９が基準面３３より高くなる可能性がある。
【手続補正１４】
【補正対象書類名】明細書
【補正対象項目名】００４８
【補正方法】変更
【補正の内容】
【００４８】
そこで、予め、境界４０において、樹脂レンズ１の第１面１２（フランジ面３２）において境界４０より入子７２で成形される側が高く、境界よりホルダで成形される側が低く成形されるように、入子７２の形成面とホルダの形成面の位置を設定しておけば、誤差等によって、入子７２の形成面とホルダの形成面の配置にずれが生じても、基準面３３と境界４０より外側の面との間の高低差が、前記段差３８における高低差より狭くなってしまうのを防止することができる。これにより、確実にバリ３９が基準面３３より高くなるのを防止することができる。